(57)【要約】【課題】所定エリア内外への忘れ物を防止することができる忘れ物防止装置を提供する。【解決手段】マイコン３は、車室内にユーザが進入したときに、親機２及び子機７間の通信に基づいてメモリ４に記憶されたＩＤの子機７が車室内にないと判定した場合、持ち込み忘れを検知して、その旨を報知する。また、マイコン３は、車室外にユーザが進出しようとするときに、車室内にある子機７の位置を報知する。【選択図】図１
2019008352.tif 000002
【特許請求の範囲】
【請求項１】
物に取り付けられた子機と無線通信を行う親機と、
前記子機及び前記親機間の無線通信に基づいて、前記物の所定エリア内外への忘れ物を防止するための報知を行う報知部と、を備えたことを特徴とする忘れ物防止装置。
【請求項２】
前記所定エリアは、車両の室内であることを特徴とする請求項１に記載の忘れ物防止装置。
【請求項３】
前記所定エリアから持ち出す必要のある物に取り付けられた子機の識別情報を記憶する記憶部と、
前記所定エリア外にユーザが進出したときに、前記親機及び前記子機間の通信に基づいて前記記憶部に記憶された前記識別情報の子機が前記所定エリア内にあると判定した場合、前記持ち出し忘れを検知する持ち出し忘れ検知部と、を備え、
前記報知部が、前記持ち出し忘れ検知部が持ち出し忘れを検知したときその旨を報知することを特徴とする請求項１又は２に記載の忘れ物防止装置。
【請求項４】
前記子機の位置を検知する位置検知部を備え、
前記持ち出し忘れ検知部が持ち出し忘れを検知したとき、前記報知部が、前記位置検知部により検知された前記所定エリア内にある子機の位置を報知することを特徴とする請求項３に記載の忘れ物防止装置。
【請求項５】
前記子機の位置を検知する位置検知部を備え、
前記所定エリア外にユーザが進出しようとするときに、前記報知部が、前記位置検知部により検知された前記所定エリア内にある子機の位置を報知することを特徴とする請求項１〜４何れか１項に記載の忘れ物防止装置。
【請求項６】
前記報知部は、照明部を有し、前記位置検知部が検知した位置を前記照明部によって照らすことにより報知することを特徴とする請求項４又は５に記載の忘れ物防止装置。
【請求項７】
前記所定エリアに持ち込む必要のある物に取り付けられた子機の識別情報を記憶する記憶部と、
前記所定エリア内にユーザが進入したとき、又は、ユーザが要求したときに、前記親機及び前記子機間の通信に基づいて前記記憶部に記憶された前記識別情報の子機が前記所定エリア内にないと判定した場合、前記持ち込み忘れを検知する持ち込み忘れ検知部と、を備え、
前記報知部が、前記持ち込み忘れ検知部が持ち込み忘れを検知したときその旨を報知することを特徴とする請求項１〜６何れか１項に記載の忘れ物防止装置。
【請求項８】
前記持ち込み忘れ検知部は、前記記憶部に記憶された全ての子機について前記所定エリア内にあるか否かを判定し、
前記報知部が、前記所定エリア内にないと判定された子機の一覧を表示することを特徴とする請求項７に記載の忘れ物防止装置。
【発明の詳細な説明】
【技術分野】
【０００１】
本発明は、忘れ物防止装置に関する。
【背景技術】
【０００２】
車両に降車又は乗車する際に、財布などを持ち出し又は持ち込み忘れることがあった。しかしながら、従来、車両内などの所定エリア内に財布などの物の持ち出し又は持ち込み忘れを報知するものはなかった。
【発明の概要】
【発明が解決しようとする課題】
【０００３】
本発明は、以上の背景に鑑みてなされたものであり、所定エリア内外への忘れ物を防止することができる忘れ物防止装置を提供することを目的としている。
【課題を解決するための手段】
【０００４】
本発明の態様である忘れ物防止装置は、物に取り付けられた子機と無線通信を行う親機と、前記子機及び前記親機間の無線通信に基づいて、前記物の所定エリア内外への忘れ物を防止するための報知を行う報知部と、を備えたことを特徴とする。
【０００５】
前記所定エリアは、車両の室内であってもよい。
【０００６】
前記所定エリアから持ち出す必要のある物に取り付けられた子機の識別情報を記憶する記憶部と、前記所定エリア外にユーザが進出したときに、前記親機及び前記子機間の通信に基づいて前記記憶部に記憶された前記識別情報の子機が前記所定エリア内にあると判定した場合、前記持ち出し忘れを検知する持ち出し忘れ検知部と、を備え、前記報知部が、前記持ち出し忘れ検知部が持ち出し忘れを検知したときその旨を報知するようにしてもよい。
【０００７】
前記子機の位置を検知する位置検知部を備え、前記持ち出し忘れ検知部が持ち出し忘れを検知したとき、前記報知部が、前記位置検知部により検知された前記所定エリア内にある子機の位置を報知するようにしてもよい。
【０００８】
前記子機の位置を検知する位置検知部を備え、前記所定エリア外にユーザが進出しようとするときに、前記報知部が、前記位置検知部により検知された前記所定エリア内にある子機の位置を報知するようにしてもよい。
【０００９】
前記報知部は、照明部を有し、前記位置検知部が検知した位置を前記照明部によって照らすことにより報知するようにしてもよい。
【００１０】
前記所定エリアに持ち込む必要のある物に取り付けられた子機の識別情報を記憶する記憶部と、前記所定エリア内にユーザが進入したとき、又は、ユーザが要求したときに、前記親機及び前記子機間の通信に基づいて前記記憶部に記憶された前記識別情報の子機が前記所定エリア内にないと判定した場合、前記持ち込み忘れを検知する持ち込み忘れ検知部と、を備え、前記報知部が、前記持ち込み忘れ検知部が持ち込み忘れを検知したときその旨を報知するようにしてもよい。
【００１１】
前記持ち込み忘れ検知部は、前記記憶部に記憶された全ての子機について前記所定エリア内にあるか否かを判定し、前記報知部が、前記所定エリア内にないと判定された子機の一覧を表示するようにしてもよい。
【発明の効果】
【００１２】
以上説明したように本発明によれば、所定エリア内外への忘れ物を防止することができる。
【図面の簡単な説明】
【００１３】
【図１】本発明の忘れ物防止装置の一実施形態を示すブロック図である。
【図２】図１に示す子機をシール形状にして物に張り付けた状態を示す図である。
【図３】図１に示す子機をタグ又はキーホルダ形状にして物に取り付けた状態を示す図である。
【図４】図１に示すメモリに記憶された持込リストの一例を示す図である。
【図５】図１に示すメモリに記憶された持出リストの一例を示す図である。
【図６】図１に示すマイコンの持込処理手順を示すフローチャートである。
【図７】第１実施形態における図１に示すマイコンの持出処理手順を示すフローチャートである。
【図８】第２実施形態における図１に示すマイコンの持出処理手順を示すフローチャートである。
【図９】第２実施形態において携帯端末の表示画面に表示される持出リストの一例を示す図である。
【発明を実施するための形態】
【００１４】
（第１実施形態）
以下、本発明の第１実施形態を、図１〜図５に基づいて説明する。図１は、本発明の忘れ物防止装置の一実施形態を示すブロック図である。図１に示す忘れ物防止装置１は、車両に搭載されている。同図に示すように、忘れ物防止装置１は、親機２と、マイクロコンピュータ（以下、マイコン）３と、記憶部としてのメモリ４と、表示装置５と、照明部としての照明装置６と、を備えている。
【００１５】
親機２は、無線通信を行う周知の通信機から構成され、子機７と無線通信を行う。子機７には、識別情報（ＩＤ）が記憶されている。子機７は、家の鍵や、財布などの車両へ持ち込みたい又は車両から持ち出したい物（以下、持込／持出物）８に取り付けられている。子機７は、図２に示すように、シール状に形成して、持込／持出物８に張り付けることにより取り付けてもよいし、図３に示すように、タグ状又はキーホルダ状に形成して、持込／持出物に取り付けてもよい。
【００１６】
マイコン３は、ＣＰＵ、ＲＯＭ、ＲＡＭなどを内蔵して構成しており、忘れ物防止装置１全体の制御を司る。
【００１７】
メモリ４には、図４及び図５に示すように、ユーザによって予め登録された持込／持出物８のリストが記憶されている。このリストには、ユーザによって予め登録された持込／持出物８に取り付けられた識別情報（ＩＤ）に持込／持出物８の名前などの各種情報が紐付けられて記憶されている。本実施形態では、図４及び図５に示すように、車両に持ち込みたい持込物のリストと、車両から持ち出したい持出物のリストと、を別々に登録できるようにしている。また、本実施形態では、スノーボードや買い物といった目的毎に別々にリストを登録できるようにしている。
【００１８】
表示装置５は、例えば車両のインストルメントパネル内のメータに取り付けられた液晶ディスプレイなどから構成され、マイコン３によって制御される。
【００１９】
照明装置６は、例えば車両のルーフに取り付けられ、ＬＥＤなどの指向性を持った光源と、光源の向きを駆動する駆動部（何れも図示せず）と、を有し、マイコン３によって制御される。照明装置６は、駆動部によって光源の向きを駆動することにより、照明位置を変えることができる。
【００２０】
次に、上述した構成の忘れ物防止装置１の動作について図６及び図７のフローチャートを参照して以下説明する。
【００２１】
マイコン３は、ユーザの所定エリアである車両の室内（以下、車室内）内への進入を検知すると、図６に示す持込処理を開始する。マイコン３は、例えば、ユーザが運転席に着座して、着座スイッチがオンしたとき、ユーザがシートベルトを装着して、ベルトスイッチがオンしたとき、又は、イグニッションスイッチがオフからオンに切り替わったときに、ユーザの車室内への進入を検知するようにしてもよい。
【００２２】
上記持込処理において、マイコン３は、表示装置５を制御して、「目的を入力してください」と表示させる（ステップＳ１）。これに応じてユーザが図示しない入力部を操作して目的（例えば、スノーボードか買い物か）を入力すると（ステップＳ２でＹ）、マイコン３は、親機２を制御して子機７との通信を開始させ、子機７のＩＤを取得する（ステップＳ３）。
【００２３】
次に、上記ステップＳ３における動作の詳細について説明する。ステップＳ３において、例えば、マイコン３は、ＩＤの送信を要求する送信信号を送信する。子機７は、送信信号を受信すると、自身のＩＤを含んだ返信信号を送信する。マイコン３は、この返信信号を受信することにより、車室内にある子機７のＩＤを取得する。上記送信信号を電波に乗せて送信する場合は、子機７は、その電波を電力に変換して電源供給を受けるものであってもよい。勿論、子機７は、内蔵バッテリから電源供給を受けるものであってもよい。
【００２４】
また、ステップＳ３において、マイコン３は、送信信号を送信していたが、これに限らず、定期的に受信タイミング信号を送信するようにしてもよい。子機７は、この受信タイミング信号の受信に合わせて、自身のＩＤを含んだ信号を定期的に送信する。
【００２５】
次に、マイコン３は、持ち込み忘れ検知部として機能し、ステップＳ３で取得したＩＤとステップＳ２で入力された目的に対応する持込リストとを比較して、持ち込み忘れを検知する（ステップＳ４）。ここで、ステップＳ２で入力された目的がスノーボードであれば、マイコン３は、ステップＳ３で取得したＩＤと、スノーボード用持込リスト（図４）と、を比較する。また、ステップＳ２で入力された目的が買い物であれば、マイコン３は、ステップＳ３で取得したＩＤと、買い物用持込リスト（図４）と、を比較する。
【００２６】
ステップＳ４において、マイコン３は、持込リストに記載されたＩＤがステップＳ３で取得できない、即ち、持込リストに記載されたＩＤの子機７が車室内にないと判定した場合、持ち込み忘れがあると判定する。このとき、マイコン３は、持込リストに記載された全てのＩＤの子機７について車室内にあるか否かを判定する。一方、マイコン３は、持込リストに記載された全てのＩＤがステップＳ３で取得できる、即ち、持込リストに記載されたＩＤの子機７が車室内に全てあると判定した場合、持ち込み忘れがないと判定する。
【００２７】
マイコン３は、ステップＳ４で持ち込み忘れ検知を行った結果、持ち込み忘れがあると判定された場合（ステップＳ５でＹ）、報知部として機能し、その旨を報知して（ステップＳ６）、持込処理を終了する。上記ステップＳ６において、マイコン３は、例えば、表示装置５にＩＤを取得できなかった持込物の名前を一覧にして表示して、持ち込み忘れを報知する。
【００２８】
一方、マイコン３は、持ち込み忘れがないと判定された場合（ステップＳ５でＮ）、直ちに持込処理を終了する。なお、マイコン３は、持ち込み忘れがないと判定された場合(ステップＳ５でＮ)、持ち込み忘れがないことを報知して、持込処理を終了するようにしてもよい。
【００２９】
また、マイコン３は、ユーザが車室外への進出しようとする（＝ユーザは車室内にまだいるが、これから車室外に進出しようとしている状態）のを検知すると、図７に示す持出処理を開始する。マイコン３は、例えば、ユーザがシートベルトの装着を解除したときや、イグニッションスイッチがオンからオフに切り替わったとき、ユーザが車室外へ進出しようとしていることを検知する。また、マイコン３は、ナビゲーション装置により目的地に着いたことを検知したとき、ユーザが車室外へ進出しようとしていることを検知してもよい。
【００３０】
持出処理において、マイコン３は、持込処理のステップＳ２で入力された目的に対応する持出リストを表示装置５に表示する（ステップＳ１１）。ここで、ステップＳ２で入力された目的がスノーボードであれば、マイコン３は、スノーボード用持出リストの持出物の名前をリストにして表示装置５に表示する。また、ステップＳ２で入力された目的が買い物であれば、マイコン３は、買い物用持出リストの持出物の名前をリストにして表示装置５に表示する。
【００３１】
ユーザは、表示されたリストのうち、手元に見当たらない持出物があれば、図示しない入力部を操作して、表示されたリストの中から見当たらない持出物を選択する。マイコン３は、ユーザにより持出物の選択が行われると（ステップＳ１２でＹ）、位置検知部として働き、選択された持出物に取り付けられた子機７の位置を検出する（ステップＳ１３）。
【００３２】
ステップＳ１３の子機７の位置検出は、親機２と子機７との通信を用いた周知の方法で行えばよい。例えば、親機２から送信した電波の子機７での反射波に基づいて位置を検出することができる。また、親機２からレーザを出力して子機７での反射に基づいて位置を検出するようにしてもよい。また、親機２にアンテナを２つ設け、２つのアンテナが受信した子機７からの信号の受信時間差に基づいて位置を検出することもできる。
【００３３】
その後、マイコン３は、照明装置６の駆動部を制御して、光源をステップＳ１３で検出した位置に向けて、その位置を照明することにより、子機７の位置を報知する（ステップＳ１４）。その後、マイコン３は、ユーザが車室外に進出していない間は（ステップＳ１５でＮ）、ステップＳ１２に戻る。一方、マイコン３は、ユーザが車室外に進出すると（ステップＳ１５でＹ）、持出処理を終了する。マイコン３は、例えば、ユーザがドアを開けてドアスイッチがオンになったときや、ユーザがドアをロックしてロックスイッチがオンになったときに、ユーザが車室外に進出したことを検知する。
【００３４】
上述した第１実施形態によれば、マイコン３が、子機７及び親機２間の無線通信に基づいて、物の車室内外への忘れ物を防止するための報知を行っている。これにより、車室内外への忘れ物を防止することができる。
【００３５】
上述した第１実施形態によれば、マイコン３は、車室内にユーザが進入したときに、親機２及び子機７間の通信をした結果、持込リストの子機７が車室内にないと判定した場合、持ち込み忘れを検知し、その旨を報知している（図６の持込処理）。これにより、持込リストにある子機７が取り付けられた物を車室内に持ち込み忘れることを防止することができる。
【００３６】
また、上述した第１実施形態によれば、マイコン３は、車室外にユーザが進出しようとするときに、車室内にある子機７の位置を検知して、その位置を報知している（図７の持出処理）。これにより、子機７が取り付けられた持出物をユーザが探す必要がなくなる。
【００３７】
また、上述した第１実施形態によれば、マイコン３は、子機７の位置を照明装置６によって照らすことにより、子機７の位置を報知している。これにより、車室内が暗くても簡単にユーザが子機７を見つけ出すことができる。また、シートの下や鞄の中に子機７が入り込んでいたとしても、シートや鞄を照らすことにより、子機７がシートの下や鞄の中にあることをユーザに分かりやすく伝えることができる。
【００３８】
なお、上述した第１実施形態によれば、マイコン３は、子機７の位置を検知して、その位置を照明装置６によって照らすだけであったが、これに限ったものではない。マイコン３は、親機２と子機７との間に遮蔽物（シートや鞄など）があるか否かを判定するようにしてもよい。マイコン３は、例えば、親機２と子機７との位置検出を行った結果、距離が近いにも関わらず、子機７からの電波が弱いときに遮蔽物があると判定することができる。そして、マイコン３は、遮蔽物の有無に応じて照明装置６の発光状態を変えて、ユーザに遮蔽物の有無を報知できるようにする。例えば、マイコン３は、遮蔽物があるときは照明装置６を白で発光させ、遮蔽物がないときは照明装置を赤で発光させる。これにより、子機７がシートの下や鞄の中にあることをより一層、ユーザに分かりやすく伝えることができる。
【００３９】
上述した第１実施形態によれば、マイコン３は、持込リストに記載されたＩＤがステップＳ３で取得できない場合、持ち込み忘れがあると判定していたが、これに限ったものではない。マイコン３は、ステップＳ３で子機７のＩＤを取得すると共に、その子機７の位置を検知する。そして、マイコン３は、持込リストに記載されたＩＤがステップＳ３で取得できたとしても、子機７の位置が車室外であれば、持ち込み忘れがあると判定するようにしてもよい。
【００４０】
上述した第１実施形態によれば、メモリ４に予め持出リストを記憶させていたが、これに限ったものではない。予め持出リストを記憶させていなくてもよい。この場合、マイコン３は、親機２と子機７との通信により、車室内にある全ての子機７に取り付けられた持出物を持出リストに記載して、自動的に作成するようにしてもよい。
【００４１】
また、上述した第１実施形態によれば、ユーザに目的を入力させ（図６のステップＳ１、Ｓ２）、入力された目的に対応したリストを用いて、持ち出し／持ち忘れの報知を行っていたが、これに限ったものではない。忘れ物防止装置１をナビゲーション装置と連動させて、ナビゲーション装置に入力された目的地に応じたリストを用いてもよい。
【００４２】
また、上述した第１実施形態によれば、ユーザの車室内への進入を検知すると、持込処理を開始していたが、これに限ったものではない。例えば、マイコン３は、図示しないマイクからユーザの「忘れ物教えて」などの忘れ物の報知要求を示す発話情報を入力したとき、持込処理を開始するようにしてもよい。
【００４３】
（第２実施形態）
次に、第２実施形態について説明する。第１実施形態では、ユーザが車室内にいるときに持出処理を行っているため、持ち出し忘れの有無を検知していない。第２実施形態では、車室外に持ち出せるスマートフォンなどの携帯端末と、忘れ物防止装置と、を連携させて、持ち出し忘れの有無を検知及び報知する。
【００４４】
第２実施形態における忘れ物防止装置の動作について図８のフローチャートを参照して以下説明する。マイコン３は、ユーザが車室外へ進出したことを検知すると、図８に示す持出処理を開始する。持出処理においてマイコン３は、親機２を制御して子機７との通信を開始させ、子機７のＩＤを取得する（ステップＳ２１）。
【００４５】
次に、マイコン３は、持ち出し忘れ検知部として機能し、ステップＳ２１で取得したＩＤとステップＳ２で入力された目的に対応する持出リストとを比較して、持ち出し忘れを検知する（ステップＳ２２）。ここで、ステップＳ２で入力された目的がスノーボードであれば、マイコン３は、ステップＳ２１で取得したＩＤと、スノーボード用持出リスト（図５）と、を比較する。また、ステップＳ２で入力された目的が買い物であれば、マイコン３は、ステップＳ２１で取得したＩＤと、買い物用持出リスト（図５）と、を比較する。
【００４６】
ステップＳ２２において、マイコン３は、位置検知部として働き、持出リストに記載されたＩＤの子機７の位置を検出する。そして、マイコン３は、持出リストに記載されたＩＤが付された子機７の位置が車室内であると判定した場合、持ち出し忘れがあると判定する。一方、マイコン３は、持出リストに記載されたＩＤが付された全ての子機７の位置が車室外であると判定した場合、持ち出し忘れがないと判定する。
【００４７】
マイコン３は、ステップＳ２２で持ち出し忘れ検知を行った結果、持ち出し忘れがないと判定された場合（ステップＳ２３でＮ）、直ちに持出処理を終了する。なお、マイコン３は、持ち出し忘れがないと判定された場合(ステップＳ２３でＮ)、携帯端末に持ち出し忘れがないことを表示して、持出処理を終了するようにしてもよい。これに対して、マイコン３は、持ち出し忘れがあると判定された場合（ステップＳ２３でＹ）、報知部として機能し、その旨を報知する（ステップＳ２４）。
【００４８】
ステップＳ２４においては、マイコン３は、例えば、ユーザと共に車室外に持ち出された図示しない携帯端末と通信を行い、携帯端末の表示画面に、図９に示すような持出リストを表示して、持出物の有無を表示する。図９に示す例では、ステップＳ２２で持ち出し忘れ検知を行った結果、車室内にあると判定された子機７の持出物については、持ち出していないとして「なし」が表示されている。一方、車室外にあると判定された子機７の持出物については、持ち出されているとして「あり」が表示されている。
【００４９】
ユーザは、携帯端末に表示されたリストのうち「なし」と表示されている持出物があれば、図示しない入力部を操作して、「なし」と表示されている持出物を選択する。携帯端末はこの選択情報を忘れ物防止装置１に送信する。マイコン３は、ユーザにより持出物の選択が行われると（ステップＳ２５でＹ）、照明装置６の駆動部を制御して、光源をステップＳ２２で検出した子機７の位置に向けて、その位置を照明することにより、子機７の位置を報知する（ステップＳ２６）。その後、マイコン３は、ステップＳ２１に戻る。これに対して、マイコン３は、一定時間以上経過してもユーザによる持ち出し物の選択が行われなければ（ステップＳ２５でＮ）、再びステップＳ２１に戻る。
【００５０】
上述した第２実施形態によれば、マイコン３は、車室外にユーザが進出したときに、親機２及び子機７間の通信に基づいてメモリ４に記憶されたＩＤの子機７が車室内にあると判定した場合、持ち出し忘れを検知する。そして、マイコン３は、携帯端末を用いて持ち出し忘れを報知する。これにより、持出リストにある子機７が取り付けられた物を車室外に持ち出し忘れることを防止することができる。
【００５１】
上述した第２実施形態によれば、持ち出し忘れを検知したとき、マイコン３が、車室内にある子機７の位置を報知する。これにより、子機７が取り付けられた持出物をユーザが探す必要がなくなる。
【００５２】
なお、上述した第２実施形態によれば、持ち出し忘れを検知したとき携帯端末に持出リストを表示して、持出物の有無を表示させていたがこれに限ったものではない。例えば、持ち出し忘れを検知したとき、車両に設置されたスピーカを用いて警報音を鳴らすようにしてもよい。その時、同時に車内にある持出物を照明で照らすようにしてもよい。
【００５３】
また、第１及び第２実施形態によれば、マイコン３は、車室内にある持出物に取り付けられた子機７の位置を報知していたが、これに限ったものではない。電波干渉や車室内の環境によって子機７の位置を検知できないことがある。そこで、第１実施形態においては、子機７の位置が検出できない場合は、位置を報知せずに、持出リストを表示するだけでもよい。また、第２実施形態においては、子機７の位置が検出できない場合は、位置を報知せずに、持ち出し忘れだけを報知するようにしてもよい。
【００５４】
また、上述した第１及び第２実施形態によれば、照明装置６を用いた、持出物の位置を報知していたが、これに限ったものではない。位置を報知できればよく、子機７から音を出させて持出物の位置を報知するようにしてもよい。
【００５５】
また、所定エリアとしては、車室に限ったものではなく、例えば、店舗や倉庫などのエリアを所定エリアとすれば、商品の物品管理にも用いることができる。
【００５６】
また、上述した第１及び第２実施形態によれば、マイコン３が持込処理及び持出処理を実行していたが、これに限ったものではない。マイコン３は、持込処理及び持出処理の何れか一方のみを実行するようにしてもよい。
【００５７】
なお、本発明は上記実施形態に限定されるものではない。即ち、本発明の骨子を逸脱しない範囲で種々変形して実施することができる。
【符号の説明】
【００５８】
１  忘れ物防止装置
２  親機
３  マイコン（報知部、持ち出し忘れ検知部、位置検知部、持ち込み忘れ検知部）
４  メモリ（記憶部）
６  照明装置（照明部）
７  子機
【図１】
2019008352.tif 000003
【図２】
2019008352.tif 000004
【図３】
2019008352.tif 000005
【図４】
2019008352.tif 000006
【図５】
2019008352.tif 000007
【図６】
2019008352.tif 000008
【図７】
2019008352.tif 000009
【図８】
2019008352.tif 000010
【図９】
2019008352.tif 000011